(57)【特許請求の範囲】
【請求項１】
互いに対向する第１胴周り域および第２胴周り域と、それら胴周り域の間に位置する股下域とを備え、前記第１および第２胴周り域の両側縁近傍が連結されて胴周り開口と一対の脚周り開口とが画成されたおむつの外面に、該おむつを丸めておくことが可能な止着用テープが取り付けられ、丸められた前記おむつの外面に対する係着手段が、該おむつの外面と対向する前記テープの内面に形成されたパンツ型の使い捨ておむつにおいて、
前記テープが、前記第１および第２胴周り域のいずれか一方の両側縁近傍に配置されて該両側縁と並行して縦方向へ延び、前記胴周り開口の側に位置する上端縁部と、前記脚周り開口の側に位置する下端縁部とを有し、前記上端縁部が、前記胴周り開口の縁部近傍を胴周り方向へ延びる接合部を介して前記おむつに固着され、前記接合部が、前記両側縁から胴周り方向内方へ向かって前記下端縁部の側へ傾斜していることを特徴とする前記おむつ。
【請求項２】
前記テープの上端縁部が、該テープの下端縁部よりも前記胴周り方向内方に位置し、前記テープ各々が、前記上端縁部から前記下端縁部へ向って次第に離間するように傾斜している請求項１記載のおむつ。
【請求項３】
前記胴周り方向へ延びる胴周り用弾性伸縮性部材が、前記胴周り開口の縁部に伸長状態で取り付けられ、前記接合部が、前記胴周り用弾性伸縮性部材の少なくとも一部に重なっている請求項１または請求項２に記載のおむつ。
【請求項４】
前記係着手段が、前記テープに塗布された粘着剤と前記テープに取り付けられたフック部材とのいずれかから形成され、前記テープを剥離可能に仮着する剥離シートが、前記両側縁近傍における前記おむつの外面に取り付けられている請求項１ないし請求項３いずれかに記載おむつ。
【発明の詳細な説明】
【０００１】
【発明の属する技術分野】
本発明は、使用後に丸めて廃棄するための止着用テープを有するパンツ型の使い捨ておむつに関する。
【０００２】
【従来の技術】
特開平９−２５３１２３号公報と特開平９−２５３１２４号公報とは、透液性表面シートと不透液性裏面シートとの間に吸液性コアが介在し、互いに対向する前胴周り域および後胴周り域と、それら胴周り域の間に位置する股下域とを備え、後胴周り域における裏面シートの外面におむつを丸めておくことが可能な止着用テープが取り付けられたパンツ型の使い捨ておむつを開示している。
【０００３】
特開平９−２５３１２３号公報に開示のおむつでは、止着用テープが胴周り方向へ延びる一条のテープ片から形成され、テープ片の長手方向中央部がおむつに固着され、テープ片の左右各側部が左右各胴周り方向へ伸展可能に折り重ねられている。左右各側部には、折り重ねられた状態を保持するための粘着域が形成されている。
【０００４】
特開平９−２５３１２４号公報に開示のおむつでは、止着用テープがおむつの胴周り方向へ互いに平行して延び、上下方向へ離間する２条の粘着テープから形成されている。
【０００５】
それらおむつを廃棄するときでは、おむつが前胴周り域を内側にして両側縁各々からテープへ向って横方向へ丸められ、おむつの中央部に捲き付けられたテープが粘着剤を介して裏面シートの外面に止着される。それらおむつは、丸められたおむつの外周をテープで括ることにより、おむつの丸められた状態を保持することができる。
【０００６】
【発明が解決しようとする課題】
それら公報に開示のおむつは、おむつをその両側縁の一方と他方とからテープへ向って横方向へ丸めなければならず、さらに、丸められたおむつの外周にテープを捲き付けなければならないので、丸める操作と丸められたおむつに対するテープの止着操作とに手間を要する。また、それらおむつでは、テープを利用しておむつの胴周り開口を塞ぐことができないので、排泄物や臭気が胴周り開口から漏れてしまうことがある。
【０００７】
本発明の課題は、丸める操作とテープの止着操作とに手間を要せず、胴周り開口や脚周り開口から排泄物や臭気が漏れることがないように丸めておくことができるパンツ型の使い捨ておむつを提供することにある。
【０００８】
【課題を解決するための手段】
前述した課題を解決するための本発明は、互いに対向する第１胴周り域および第２胴周り域と、それら胴周り域の間に位置する股下域とを備え、前記第１および第２胴周り域の両側縁近傍が連結されて胴周り開口と一対の脚周り開口とが画成されたおむつの外面に、該おむつを丸めておくことが可能な止着用テープが取り付けられ、丸められた前記おむつの外面に対する係着手段が、該おむつの外面と対向する前記テープの内面に形成されたパンツ型の使い捨ておむつを改良することにある。
【０００９】
改良にかかる本発明の特徴は、前記テープが、前記第１および第２胴周り域のいずれか一方の両側縁近傍に配置されて該両側縁と並行して縦方向へ延び、前記胴周り開口の側に位置する上端縁部と、前記脚周り開口の側に位置する下端縁部とを有し、前記上端縁部が、前記胴周り開口の縁部近傍を胴周り方向へ延びる接合部を介して前記おむつに固着され、前記接合部が、前記両側縁から胴周り方向内方へ向かって前記下端縁部の側へ傾斜していることにある。
【００１０】
本発明の実施の態様の一例としては、前記テープの上端縁部が、該テープの下端縁部よりも前記胴周り方向内方に位置し、前記テープ各々が、前記上端縁部から前記下端縁部へ向って次第に離間するように傾斜している。
【００１１】
本発明の実施の態様の他の一例としては、前記胴周り方向へ延びる胴周り用弾性伸縮性部材が、前記胴周り開口の縁部に伸長状態で取り付けられ、前記接合部が、前記胴周り用弾性伸縮性部材の少なくとも一部に重なっている。
【００１２】
本発明の実施の態様の他の一例としては、前記係着手段が、前記テープに塗布された粘着剤と前記テープに取り付けられたフック部材とのいずれかから形成され、前記テープを剥離可能に仮着する剥離シートが、前記両側縁近傍における前記おむつの外面に取り付けられている。
【００１３】
【発明の実施の形態】
添付の図面を参照し、本発明に係るパンツ型の使い捨ておむつの詳細を説明すると、以下のとおりである。
【００１４】
図１，２は、後胴周り域２２の側から示すパンツ型の使い捨ておむつ１の部分破断斜視図と、図１のＡ−Ａ線断面図とであり、図１では、一方の止着用テープ１０を剥離シート１２から剥離させた状態で示す。なお、表裏面シート２，３や止着用テープ１０、剥離シート１２等の部材の内面とは、コア４に対向する面をいい、外面とは、コア４に非対向の面をいう。また、胴周り方向を矢印Ｘで示し、縦方向を矢印Ｙで示す。
【００１５】
おむつ１は、透液性表面シート２と、不透液性裏面シート３と、それらシート２，３の間に介在し、全体が透水性のティッシュペーパー（図示せず）に被覆、接合された吸液性コア４とを主要な構成部材とする。コア４は、ティッシュペーパーを介して表面シート２と裏面シート３との少なくとも一方の内面に接合されている。
【００１６】
おむつ１は、互いに対向する前胴周り域２０および後胴周り域２２と、前後胴周り域２０，２２の間に位置する股下域２１とを有する。おむつ１では、前後胴周り域２０，２２の縦方向へ延びる両側縁５近傍が合掌状に重なり合った状態で固着され、胴周り開口６と左右一対の脚周り開口７とが画成されている。
【００１７】
胴周り開口６の縁部６ａには、胴周り方向へ延びる複数条の胴周り用弾性伸縮性部材８が表面シート２と裏面シート３との間に介在し、それらシート２，３の少なくとも一方の内面に伸長状態で取り付けられている。脚周り開口７の縁部７ａには、脚周り方向へ延びる複数条の脚周り用弾性伸縮性部材８が表面シート２と裏面シート３との間に介在し、それらシート２，３の少なくとも一方の内面に伸長状態で取り付けられている。おむつ１では、胴周り開口６と脚周り開口７との縁部６ａ，７ａがそれら開口６，７の周り方向へ弾性伸縮性を有する。図１では、弾性部材８，９各々が収縮し、胴周り開口６と脚周り開口７との縁部６ａ，７ａに沿って多数のギャザーが形成されている。
【００１８】
後胴周り域２２の両側縁５近傍における裏面シート３の外面には、おむつ１を丸めておくことが可能な一対の止着用テープ１０が取り付けられている。テープ１０は、可撓性を有する非伸縮性のプラスチックシートから形成され、両側縁５と並行して縦方向へ延びている。
【００１９】
テープ１０は、胴周り開口６の縁部６ａ近傍に位置する上端縁部１０ａと、脚周り開口７の縁部７ａ近傍に位置する下端縁部１０ｂとを有する。テープ１０は、その上端縁部１０ａが胴周り方向へ延びる接合部１１を介して裏面シート３の外面に固着されている。テープ１０の内面には、粘着剤１３が塗布されている。テープ１０の下端縁部１０ｂには、粘着剤１３が塗布されていない摘み１０ｃが形成されている。
【００２０】
接合部１１は、胴周り用弾性部材８に重なり、後胴周り域２２の両側縁５から胴周り方向内方へ向って下端縁部１０ｂの側へ傾斜している。接合部１１では、接着剤１４を使用して上端縁部１０ａと裏面シート３とが固着されている。接合部１１は、胴周り用弾性部材８の全てに重なっているが、胴周り用弾性部材８のうちの少なくとも１本と重なっていればよい。
【００２１】
テープ１０と裏面シート３との間には、テープ１０を剥離可能に仮着する剥離シート１２が介在している。剥離シート１２は、可撓性のプラスチックシートから形成され、その内面が裏面シート３の外面に接着剤１４を介して固着されている。テープ１０は、粘着剤１３を介して剥離シート１２の外面に仮着されている。接着剤１４としては、ホットメルト型接着剤を使用することが好ましい。なお、裏面シート３に対するテープ１０と剥離シート１２との固着には、熱融着の技術を利用することもできる。
【００２２】
図３は、廃棄するために丸められた図１のおむつ１の斜視図であり、一方の止着テープ１０を剥離シート１２から剥離させた状態を仮想線で示す。おむつ１は、前胴周り域２０を内側にし、股下域２１から胴周り開口６へ向かって縦方向へ丸められている。丸められたおむつ１では、胴周り開口６が外側に位置し、テープ１０が粘着剤１３を介して裏面シート３の外面に止着されている。
【００２３】
丸められたおむつ１にテープ１０を止着するには、テープ１０の摘み１０ｃを指で摘持してテープ１０を剥離シート１２から剥がし、テープ１０を矢印Ｚ１で示すおむつ１の外方へ引っ張りながら、矢印Ｚ２の方向へ旋回させてテープ１０を裏面シート３の外面に押し付ける。
【００２４】
おむつ１では、接合部１１が傾斜して延びているので、図３に仮想線で示すように、テープ１０を剥離シート１２から剥がすと、テープ１０の下端縁部１０ｂがおむつ１の外方へ延びる。おむつ１では、テープ１０を剥離シート１２から剥がした後に、テープ１０の向きをかえることなくそれを矢印Ｚ２の方向へ旋回させ、裏面シート３の外面にテープ１０を止着すればよいので、丸められたおむつ１に対するテープ１０の止着操作が容易である。
【００２５】
おむつ１では、接合部１１が胴周り用弾性部材８に重なっているので、テープ１０をおむつ１の外方へ引っ張ると、それによって胴周り用弾性部材８がおむつ１の外方へ向って伸長する。おむつ１では、胴周り用弾性部材８を伸長させた状態でテープ１０を裏面シート３に止着すると、伸長した胴周り用弾性部材８の収縮力によって胴周り開口６が閉じられ、その状態で胴周り開口６の縁部６ａが裏面シート３の外面に当接する。
【００２６】
おむつ１では、テープ１０各々によっておむつ１の丸められた状態が保持されるとともに、胴周り用弾性部材８の収縮力によって胴周り開口６の閉じられた状態が保持される。おむつ１では、胴周り開口６が口を開けることはなく、排泄物や臭気が胴周り開口６から漏れてしまうことがない。また、おむつ１では、脚周り開口７の縁部７ａがおむつ１とともに丸められているので、脚周り開口７が口を開けることはなく、排泄物や臭気が脚周り開口７から漏れてしまうこともない。
【００２７】
図４，５は、他の実施の形態の後胴周り域２２の側から示すおむつ１の部分破断斜視図と、廃棄するために丸められた図４のおむつ１の斜視図とである。図４では、一方の止着用テープ１０を剥離シート１２から剥離させた状態で示し、図５では、一方の止着テープ１０を剥離シート１２から剥離させた状態を仮想線で示す。
【００２８】
おむつ１の基本構成は、図１のそれと同一なので、その説明は省略する。図４のおむつ１が図１のそれと異なる点は、以下のとおりである。おむつ１では、テープ１０の上端縁部１０ａが下端縁部１０ｂよりも胴周り方向内方に位置し、テープ１０各々が、上端縁部１０ａから下端縁部１０ｂへ向って次第に離間するように傾斜して延びている。
【００２９】
おむつ１は、図５に示すように、前胴周り域２０を内側にし、股下域２１から胴周り開口６へ向かって縦方向へ丸められている。丸められたおむつ１では、胴周り開口６が外側に位置し、テープ１０が粘着剤（図示せず）を介して裏面シート３の外面に止着されている。
【００３０】
おむつ１では、テープ１０各々がその上端縁部１０ａから下端縁部１０ｂへ向って次第に離間するように傾斜して延びるとともに、接合部１１が両側縁５から胴周り方向内方へ向って下端縁部１０ｂの側へ傾斜して延びているので、テープ１０を剥離シート１２から剥がすと、テープ１０の下端縁部１０ｂが矢印Ｚ１で示すおむつ１の外方へ延びる。おむつ１では、テープ１０を剥離シート１２から剥がした後に、テープ１０の向きをかえることなくそれを矢印Ｚ２の方向へ旋回させ、裏面シート３の外面にテープ１０を止着すればよい。
【００３１】
図４のおむつ１は、図１のそれと同様に、テープ１０をおむつ１の外方へ引っ張ると、それによって胴周り用弾性部材８がおむつ１の外方へ向って伸長する。おむつ１では、止着テープ１０各々によって丸められた状態が保持されるとともに、胴周り用弾性部材８の収縮力によって胴周り開口６の閉じられた状態が保持される。
【００３２】
テープ１０としては、非伸縮性のプラスチックシートの他に、弾性的な伸長性を有する合成ゴムや天然ゴム等のエラストマー、または、それらエラストマーを伸長状態で不織布に固着したものを使用することもできる。
【００３３】
裏面シート３が不織布で形成されている場合は、テープ１０の内面に粘着剤を塗布することの他に、テープ１０の内面にメカニカルファスナのうちのフック部材を取り付けることもできる。フック部材が不織布の構成繊維に引っ掛かることで、テープ１０が丸められたおむつ１における裏面シート３の外面に係着される。テープ１０にフック部材を取り付けた場合では、剥離シート１２として、ループ部材を使用することができる。ループ部材は、後胴周り域２２の両側縁５近傍における裏面シート３の外面に取り付けることができる。テープ１０と剥離シート１２とは、前胴周り域２０の両側縁５近傍における裏面シート３の外面に取り付けられていてもよい。
【００３４】
表面シート２には、不織布や開孔プラスチックフィルム等の透液性のシート、好ましくは透液性であって親水性のシートが使用される。裏面シート３には、疎水性不織布、不透液性のプラスチックフィルムまたは疎水性不織布とプラスチックフィルムとのラミネートシート、好ましくは通気不透液性のシートが使用される。また、裏面シート３としては、高い耐水性を有するメルトブローン不織布を、高い強度を有しかつ柔軟性に富んだスパンボンド不織布で挟んだ複合不織布を使用することもできる。
【００３５】
不織布としては、スパンレース、ニードルパンチ、メルトブローン、サーマルボンド、スパンポンド、ケミカルボンド、エアースルー、の各製法により製造された不織布を使用することができる。不織布の構成繊維としては、ポリオレフィン系、ポリエステル系、ポリアミド系、の各繊維、ポリエチレン／ポリプロピレンやポリエチレン／ポリエステル等で形成された芯鞘型複合繊維、サイドバイサイド型複合繊維を使用することができる。
【００３６】
コア４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００３７】
表裏面シート２，３の固着、コア４の接合、弾性部材８，９の取り付けには、ホットメルト型接着剤、または、ソニックシールやヒートシール等の熱溶着の技術を利用することができる。
【００３８】
【発明の効果】
本発明に係るパンツ型の使い捨ておむつでは、それを廃棄するときに、股下域から胴周り開口へ向かって縦方向へ丸め、止着用テープを剥離シートから剥がし、テープの向きをかえることなくそれを旋回させ、丸められたおむつの外面にテープを止着すればよい。ゆえに、このおむつは、従来技術のそれと比較して、おむつの丸める操作と丸められたおむつに対するテープの止着操作とが容易である。
【００３９】
おむつは、テープによっておむつの丸められた状態が保持される。おむつでは、胴周り用弾性部材をおむつの外方へ伸長させた状態で、テープをおむつに止着すると、伸長した胴周り用弾性部材の収縮力によって胴周り開口の閉じられた状態が保持される。丸められたおむつは、胴周り開口が口を開けることはなく、排泄物や臭気が胴周り開口から漏れてしまうことがない。
【００４０】
また、おむつでは、脚周り開口の縁部がおむつとともに丸められるので、脚周り開口が口を開けることはなく、排泄物や臭気が脚周り開口から漏れてしまうこともない。
【図面の簡単な説明】
【図１】後胴周り域の側から示すパンツ型の使い捨ておむつの部分破断斜視図。
【図２】図１のＡ−Ａ線断面図。
【図３】廃棄するために丸められた図１のおむつの斜視図。
【図４】他の実施の形態の後胴周り域の側から示すおむつの部分破断斜視図。
【図５】廃棄するために丸められた図４のおむつの斜視図。
【符号の説明】
１            パンツ型の使い捨ておむつ
５            両側縁
６            胴周り開口
６ａ          縁部
７            脚周り開口
８            胴周り用弾性部材
１０            止着用テープ
１０ａ          上端縁部
１０ｂ          下端縁部
１１            接合部
１２            剥離シート
１３            粘着剤（係着手段）
２０            前胴周り域
２１            股下域
２２            後胴周り域
【図１】
0003683795.tif 000002
【図２】
0003683795.tif 000003
【図３】
0003683795.tif 000004
【図４】
0003683795.tif 000005
【図５】
0003683795.tif 000006